(57)【要約】【課題】冷凍回路１０ａを構成する冷媒管路１７に接合されている冷媒管路２２を有する製氷部２０を備える製氷機において、冷凍回路側冷媒管路１７と製氷部側冷媒管路２２との接合部位を脱着可能に構成することにより、好適な材質の冷媒管路１７と、これとは異なる好適な材質の冷媒管路２２との組合わせを可能にすること、および、製氷部２０、冷凍回路１０ａ等の交換作業を容易にすること。【解決手段】冷媒管路１７と冷媒管路２２とを締結手段３０ａ，３０ｂを介して脱着可能に接合して、冷媒管路１７と冷媒管路２２との接合および取外しを容易にした。【選択図】    図１
2005207654.tif 000002
【特許請求の範囲】
【請求項１】
冷凍回路を構成する冷媒管路に接合されている冷媒管路を有する製氷部を備え、前記製氷部側冷媒管路に循環供給される冷媒の冷却作用によって、前記製氷部に供給される製氷用水を同製氷部にて氷結する製氷機であり、前記製氷部側冷媒管路と前記冷凍回路側冷媒管路とは、締結手段を介して、互いに脱着可能に接合されていることを特徴とする製氷機。
【請求項２】
請求項１に記載の製氷機において、前記製氷部側冷媒管路と前記冷凍回路側冷媒管路の両冷媒管路のいずれか一方の接合座部は嵌合凸部を備え、かつ、前記両冷媒管路のいずれか他方の接合座部は前記嵌合凸部を受入れる嵌合凹部を備え、前記両接合座部間にシール部材を介在せるとともに前記嵌合凹部と前記嵌合凸部を互いに嵌合させた状態で前記両冷媒管路が有するフランジ部を互いに締結することにより、これら両冷媒管路が互いに接合されていることを特徴とする製氷機。
【請求項３】
請求項１または２に記載の製氷機において、前記製氷部は前記製氷部側冷媒管路を内蔵する製氷板であって、前記製氷板の表面である製氷面上を流下する製氷用水を、前記製氷部側冷媒管路に循環供給される冷媒の冷却作用によって同製氷面上で氷結させることを特徴とする製氷機。
【発明の詳細な説明】
【技術分野】
【０００１】
本発明は、製氷用水を冷媒の冷却作用にて氷結する形式の製氷機に関する。
【背景技術】
【０００２】
製氷機の一形式として、冷凍回路を構成する冷媒管路に接合されている冷媒管路を有する製氷部を備え、製氷部側冷媒管路に循環供給される冷媒の冷却作用によって、製氷部に供給される製氷用水を同製氷部にて氷結する形式の製氷機がある。当該形式の製氷機においては、通常、冷凍回路側冷媒管路と製氷部側冷媒管路とはロー付け等の溶接手段によって互いに接合されている（特許文献１を参照）。
【０００３】
このように、当該形式の製氷機においては、冷凍回路側冷媒管路と製氷部側冷媒管路とはロー付け等の溶接にて接合する手段が採られることから、互いに材質を異にする冷媒管路同士の接合が難しい。このため、好適な材質の冷凍回路側冷媒管路と、これとは異なる好適な材質の製氷部側冷媒管路との組合わせは、かなずしも容易ではない。冷凍回路側冷媒管路には通常銅製の材料（例えば銅製パイプ）が使用されるが、製氷部側冷媒管路として、機能的で耐腐食性に富みかつ軽量である、冷媒管路を構成する材料として良好なアルミニウム製の材料（アルミニウム製パイプ）を採用したい場合がこれに該当する。また、当該形式の製氷機においては、製氷部を交換することは容易ではなく、冷凍回路側冷媒管路と製氷部側冷媒管路との切断、冷凍回路側冷媒管路と新たな製氷部側冷媒管路の溶接という煩雑で難しい作業が要求される。
【特許文献１】特開２００３−３２９３４１号公報
【発明の開示】
【発明が解決しようとする課題】
【０００４】
本発明の目的は、当該形式の製氷機において、冷凍回路側冷媒管路と製氷部側冷媒管路との接合部位を脱着可能に構成することにより、好適な材質の冷凍回路側冷媒管路と、これとは異なる好適な材質の製氷部側冷媒管路との組合わせを可能にすること、および、製氷部、冷凍回路等の交換作業を容易にすることにある。
【課題を解決するための手段】
【０００５】
本発明は製氷機に関する。本発明に係る製氷機は、冷凍回路を構成する冷媒管路（冷凍回路側冷媒管路）に接合されている冷媒管路（製氷部側冷媒管路）を有する製氷部を備え、前記製氷部側冷媒管路に循環供給される冷媒の冷却作用によって、前記製氷部に供給される製氷用水を同製氷部にて氷結する製氷機であって、前記冷凍回路側冷媒管路と前記製氷部側冷媒管路とが、締結手段を介して、脱着可能に接合されていることを特徴とするものである。
【０００６】
本発明に係る製氷機においては、前記製氷部側冷媒管路と前記製氷部側冷凍回路の両冷媒管路のいずれか一方の接合座部に嵌合凸部を備える構成とし、かつ、前記両冷媒管路のいずれか他方の接合座部に前記嵌合凸部が受入れられる嵌合凹部を備える構成として、前記両接合座部間にシール部材を介在せるとともに前記嵌合凹部と前記嵌合凸部を互いに嵌合させた状態で前記両冷媒管路が有するフランジ部を互いに締結することにより、これら両冷媒管路が互いに接合される接合構造に構成することができる。
【０００７】
本発明は、前記製氷部が前記製氷部側冷媒管路を内蔵する製氷板であって、前記製氷板の製氷面上を流下する製氷用水を、前記製氷部側冷媒管路に循環供給される冷媒の冷却作用によって前記製氷面上にて氷結する形式の製氷機に好適に適用することができる。
【発明の効果】
【０００８】
本発明に係る製氷機においては、冷凍回路側冷媒管路と製氷部側冷媒管路を締結手段を介して接合しているため、締結手段による締結作用により両冷媒管路を容易に接合し、かつ、締結手段による締結を解除することにより両冷媒管路の接合を容易に解除することができる。このため、本発明に係る製氷機によれば、好適な材質の冷凍回路側冷媒管路とこれとは異なる好適な材質の製氷部側冷媒管路との組合わせが可能となる。また、製氷機を構成する製氷部、冷凍回路等を交換する場合の交換作業が極めて容易になる。
【発明を実施するための最良の形態】
【０００９】
本発明は製氷機に関するもので、図１および図２には、本発明に係る製氷機の一実施形態を示している。当該製氷機は、製氷用水を製氷板の製氷面上に散布して、製氷面上を流下する製氷用水を製氷面上で氷結させる形式の流下式製氷機である。当該流下式製氷機は、冷凍機構部１０と製氷部２０を備えている。
【００１０】
冷凍機構部１０は、圧縮機１１、凝縮器１２、レシーバタンク１３、ドライヤ１４、膨張弁１５を備え、これらを配管で直列的に連結して冷凍回路１０ａを構成している。製氷部２０は、多数の製氷板２１を互いに並列して起立状に配設されて形成されている。製氷板２１は、内部に冷媒管路２２を内蔵している。製氷板２１は内部が空洞の箱状のもので、箱状内部を横方向に配列されている多数の仕切板２１ａにて、製氷板２１内が冷媒配管２２に形成されている。換言すれば、冷媒配管２２は、製氷板２１と一体に製氷板２１内に形成されている。製氷板２１およびこれと一体の冷媒管路２２は、熱伝導性が良好で高耐腐食性であって軽量なアルミニウム板で形成されている。
【００１１】
冷媒管路２２は、その上流端部にて冷凍回路１０ａを構成する主冷媒管路１６から分岐する各冷媒管路１７の下流側端部に締結手段３０ａを介して接合されており、また、その下流端部にて冷凍回路１０ａを構成する主冷凍配管部１６から分岐する各冷媒管路１７の上流側端部に締結手段３０ｂを介して接合されている。主冷媒管路１６および各冷媒管路１７は、常用の材料である銅製パイプにて形成されている。
【００１２】
製氷板２１が内蔵する冷媒管路２２には、冷凍回路１０ａを介して冷媒が循環供給されるもので、冷媒管路２２を流通する冷媒の冷却作用によって、製氷板２１の両表面を製氷面に形成する。当該製氷機では、各製氷板２１の上方に、各製氷板２１に対応する複数の散水パイプ２３が配設されていて、製氷用水は各散水パイプ２３から各製氷板２１の製氷面上に散布される。
【００１３】
製氷面上に散布された製氷用水の大部分は、冷媒管路２２を流通する冷媒の冷却作用により、製氷面上を流下する間に氷結されて、製氷面上にて板状氷を生成させる。製氷面上に生成された板状氷は、製氷運転終了後の除氷運転によって製氷面上から離脱して落下する。落下した板状氷は、クラッシャーにて粉砕され、粉砕氷として貯氷室に搬送される。なお、除氷運転では、冷媒管路２２にホットガスが供給され、ホットガスの加熱作用にて、板状氷の製氷面との付着界面が溶解されて、板状氷が製氷面上から落下する。
【００１４】
締結手段３０ａ，３０ｂは、実質的に同一構成のもので、実質的に同一の接合構造を構成する。従って、締結手段３０ａ，３０ｂの詳細な説明では、締結手段３０ａ，３０ｂを一括して締結手段３０として説明する。締結手段３０は、図３に示すように、一対のフランジ（第１フランジ３１および第２フランジ３２）と、接合座部を形成する座部形成部材３３にて構成されている。
【００１５】
第１フランジ３１は楕円形状の菱形を呈する盤状のもので、冷媒管路２２側の締結機能を有するフランジ部と、冷媒管路２２の先端側の接合座部として機能する。第１フランジ３１は、その菱形形状の盤の中心部に連通孔３１ａを備えている。連通孔３１ａの裏面側の端縁部には、冷媒管路２２の先端が嵌合する嵌合部３１ｂを備え、嵌合部３１ｂに嵌合させた冷媒管路２２をその先端部にて溶接する。第１フランジ３１の外面側には、環状凹部３１ｃが形成されていて、第１フランジ３１の外面が冷媒管路を接合する接合座部となっている。また、第１フランジ３１は、その菱形形状の盤の最頂部の両方に部位に、ボルト挿通孔３１ｄが形成されている。
【００１６】
第２フランジ３２は、第１フランジ３１と同様に、楕円形状の菱形を呈する盤状もので、冷凍回路１０ａを構成する冷媒管路１７側の締結機能を有するフランジ部と、冷媒管路１７側の接合座部を構成する座部形成部材３３を支持する支持部として機能する。第２フランジ３２は、その菱形形状の盤の中心部に、座部形成部材３３を貫通させる貫通孔３２ａを備えている。第２フランジ３２の外面側には、座部形成部材３３を受承する受承部３２ｂに形成され、かつ、その菱形形状の盤の最頂部の両方に部位にはボルト挿通孔３２ｃが形成されている。
【００１７】
座部形成部材３３は、第２フランジ３２の貫通孔３２ａに挿通されて、冷媒管路１７側の接合座部を形成するもので、筒部３３ａと、筒部３３ａの外端側に形成されている円盤状の接合座部３３ｂにて構成されている。筒部３３ａは、その中央部に、第１フランジ３１の連通孔３１ａに対向する連通孔３３ｃを備えている。連通孔３３ｃの背面側には、冷媒管路１７の先端部が溶接されて接合される。座部形成部材３３における接合座部３３ｂの外面側には、環状凸部３３ｄが形成されている。環状凸部３３ｄは、第１フランジ３１の外面側の環状凹部３１ｃに嵌合する形状に形成されている。
【００１８】
当該締結手段３０にて、冷媒管路２２と冷媒管路１７を互いに接合するには、冷媒管路２２の先端に接合されている第１フランジ３１の環状凹部３１ｃにシール部材３４を介在させた状態で、冷媒管路１７の先端に接合されている座部形成部材３３の環状凸部３３ｄを嵌合し、互いに対向する両フランジ３１，３２を締結ボルト３５を介して締結する。これにより、冷媒管路２２と冷媒管路１７は、当該締結手段３０を介して互いに締結されて接合する。
【００１９】
締結手段３０により接合されている接合部位は、図２に示すように、当該製氷機の外側ケースを構成するパネルを外した状態では、外側から視認し得る場所に位置している。すなわち、締結手段３０（３０ａ，３０ｂ）は、冷凍回路１０ａを構成する主冷媒管路１６の背部にて、両フランジ３１，３２が斜めに傾斜した状態で位置し、両フランジ３１，３２を締結する締結ボルト３５が外部に対して露出している。
【００２０】
このため、当該締結ボルト３５においては、外部からの締付け操作および弛緩操作が容易であって、弛緩操作によって締結ボルト３５を取外することができ、かつ、締付け操作によって、取外した締結ボルト３５を取付けることができる。締結ボルト３５を弛緩して取外せば、締結手段３０による締結が解除されて、冷媒管路２２と冷媒管路１７の互いの接合が解除され、かつ、締結ボルト３５を締付ければ、締結手段３０による締結が行われて、冷媒管路２２と冷媒管路１７が互いに接合される。
【００２１】
このため、当該製氷機においては、必要時には、製氷板２１を冷媒管路１７から取外して、製氷板２１を新たなものに容易に交換することができる。また、当該締結手段３０を採用すれば、溶接手段等では接合が容易でない異種金属製の冷媒管路２２と冷媒管路１７との接合が容易であり、好適な材質の冷媒管路１７とこれとは異なる好適な材質の冷媒管路２２との組合わせを容易に実現することができる。
【図面の簡単な説明】
【００２２】
【図１】本発明に係る製氷機を模式的に示す概略構成図である。
【図２】同製氷機の一部を省略して示す部分側面図である。
【図３】同製氷機で採用している締結手段を示す縦断面図（ａ）、同締結手段の左側面（ｂ）、および、同締結手段の右側面（ｃ）である。
【符号の説明】
【００２３】
１０…冷凍機構部、１０ａ…冷凍回路、１１…圧縮機、１２…凝縮器、１３…レシーバタンク、１４…ドライヤ、１５…膨張弁、１６…主冷媒管路、１７…分岐冷媒管路、２０…製氷部、２１…製氷板、２１ａ…仕切板、２２…冷媒管路、２３…散水パイプ、３０（３ｏａ，３０ｂ）…締結手段、３１…第１フランジ、３１ａ…連通孔、３１ｂ…嵌合部、３１ｃ…環状凹部、３１ｄ…ボルト挿通孔、３２…第２フランジ、３２ａ…貫通孔、３２ｂ…受承部、３２ｃ…ボルト挿通孔、３３…座部形成部材、３３ａ…筒部、３３ｂ…接合座部、３３ｃ…連通孔、３３ｄ…環状凸部、３４…シール部材、３５…締結ボルト。
【図１】
2005207654.tif 000003
【図２】
2005207654.tif 000004
【図３】
2005207654.tif 000005